(57)【特許請求の範囲】
【請求項１】
動物の体表温を測定する体表温測定具であって、
赤外線検出センサ、および、上記赤外線検出センサを覆うカバーを備えている温度センシング部と、
上記温度センシング部を上記動物の体表面に密着させる、あるいは、上記温度センシング部を上記動物に装着する首輪または上記動物に装着する胴輪に固定するベルトと、を備えており、
上記体表温測定具を上記動物に装着する場合、上記カバーは上記動物の体表面上に押し付けられ、
上記カバーにおける動物の体表に接する接触面の少なくとも一部は、上記動物の体表側に膨らんでいる曲面に形成されていることを特徴とする体表温測定具。
【請求項２】
上記体表温測定具は、さらに、上記温度センシング部が検出した検出値から測定温度を算出する測定温度算出装置を備えることを特徴とする請求項１に記載の体表温測定具。
【請求項３】
上記温度センシング部は、さらに、上記カバーの少なくとも一部を覆う補助台座を備えていることを特徴とする請求項１に記載の体表温測定具。
【請求項４】
上記補助台座が、弾性部材によって構成されていることを特徴とする請求項３に記載の体表温測定具。
【請求項５】
上記ベルトは、上記動物の体表面における上記ベルトの位置を固定する補助ベルトを備えていることを特徴とする請求項１から４の何れか１項に記載の体表温測定具。
【請求項６】
上記ベルトは、上記首輪または上記胴輪に対する接続用治具を備えていることを特徴とする請求項１から４の何れか１項に記載の体表温測定具。
【請求項７】
上記補助台座に孔が設けられ、
前記カバーは前記孔に挿通されていることを特徴とする請求項３または４に記載の体表温測定具。
【請求項８】
上記体表温測定具は、
上記温度センシング部を含む複数の温度センシング部と、
複数の上記温度センシング部が検出した少なくとも１つの検出値から測定温度を算出する測定温度算出装置と、上記動物の状態を検出する第２のセンサとを備えており、
上記測定温度算出装置は、複数の上記温度センシング部の検出値または上記第２のセンサの検出値に応じて、複数の上記温度センシング部の検出値から測定温度を算出するために用いる検出値を選択する検出値選択部を備えていることを特徴とする請求項１から７の何れか１項に記載の体表温測定具。
【発明の詳細な説明】
【技術分野】
【０００１】
本開示は動物の体表温を測定する体表温測定具に関する。
【背景技術】
【０００２】
近年では、愛玩動物（ペット）等の動物において、日常的な健康管理が重要であることが、飼い主によって認識されるようになっている。動物の健康状態を把握するにあたり、動物の体温を測定することは重要である。動物の体温測定においては、例えば、犬では、サーミスタを備えているプローブ体温計を直腸に挿入することによって直腸温を測定する。しかし、通常の家庭では、動物の直腸温を測定することは難しい作業となる。【０００３】
一方、愛玩動物に限らず、人間を含んだ動物の体温測定においては、プローブ体温計以外の体温計として、赤外線放射温度計等も用いられる。例えば、特許文献１には、赤外線センサを用い、距離に左右されない正確な体温を測定できる赤外線体温計が開示されている。詳細には、当該赤外線体温計は、グラウンド電極と電極とからなる近接センサが人体に近接するときの静電容量を測定する。赤外線体温計は所定の静電容量と近接センサで測定した静電容量とを比較する。赤外線体温計は、測定した静電容量が所定の静電容量になったとき、センサ本体が人体に接触したときであると判定する。そして、このときの赤外線センサからの赤外線量に基づく体温を算出する。
【先行技術文献】
【特許文献】
【０００４】
【特許文献１】日本国公開特許公報「特開２０１２-２１７５６３号公報（２０１２年１１月１２日公開）」
【発明の概要】
【発明が解決しようとする課題】
【０００５】
しかしながら、上述のような従来技術においては、動物の体温を測定する場合に、下記の要因等により、適切に体温を測定することが困難となる。【０００６】
要因１：動物にとって、体温測定を行う状況は特殊な状況である。したがって、体温測定を行おうとすると、動物は興奮してしまう（例えば、暴れてしまう）。そのため、安静時の動物の体温を適切に測定することは困難となる。【０００７】
要因２：体温の測定に代えて、体表温（体表近くの温度）を測定しようとしても、体毛が邪魔となる。そのため、適切に動物の体表温を測定するためには工夫が必要となる。
【課題を解決するための手段】
【０００８】
上記の課題を解決するために、体表温測定具は、動物の体表温を測定する体表温測定具であって、赤外線検出センサ、および、上記赤外線検出センサを覆うカバーを備えている温度センシング部と、上記温度センシング部を上記動物の体表面に密着させる、あるいは、上記温度センシング部を上記動物に装着する首輪または上記動物に装着する胴輪に固定するベルトと、を備えており、上記体表温測定具を上記動物に装着する場合、上記カバーは上記動物の体表面上に押し付けられ、上記カバーにおける動物の体表に接する接触面の少なくとも一部は、上記動物の体表側に膨らんでいる曲面に形成されている。
【発明の効果】
【０００９】
動物の体表温測定において適切な体表温測定を行うことができるという効果を奏する。
【図面の簡単な説明】
【００１０】
【図１】（ａ）および（ｂ）は、体表温測定具の構造の一例を示す図である。
【図２】測定温度算出装置の要部構成の他の一例を示す図である。
【図３】測定温度算出装置のハードウェアの構成の一例を示す図である。
【図４】温度センシング部の配置に好ましい領域を示す図である。
【図５】体表温測定具を犬に装着させた状態を示す図である。
【図６】（ａ）は、体表温測定具を適切に犬に装着した状態を示す図である。（ｂ）は、温度センシング部が傾いた状態で体表温測定具を犬に装着した状態を示す図である。
【図７】（ａ）は、体表温の測定値と直腸温の測定値とを関連付けてプロットした分布図である。（ｂ）は、体表温の測定値（カバー有またはカバー無）と直腸温の測定値との差の平均値を示している。（ｃ）は、体表温の測定値（カバー有またはカバー無）と直腸温の測定値との差の標準偏差を示している。
【図８】（ａ）は、温度センシング部の構造の一例を示す図である。（ｂ）は、体表温測定具が適切に犬に装着されている状態を示す図である。（ｃ）は、温度センシング部が傾いた状態で、犬に体表温測定具が装着されている状態を示す図である。（ｄ）は、温度センシング部が傾いた状態で、犬に体表温測定具が装着されている状態を示す図である。（ｅ）は、（ｃ）に示す状態よりも温度センシング部が傾いた状態で犬に体表温測定具が装着されている状態を示す図である。
【図９】（ａ）および（ｂ）は、体表温測定具の構造の一例を示す図である。
【図１０】（ａ）は、体表温測定具の装着の位置を示す図であり、（ｂ）は、体表温測定具を犬に装着させた状態を示す図であり、（ｃ）から（ｅ）は、他の体表温測定具の装着の位置を示す図である。
【図１１】（ａ）および（ｂ）は、体表温測定具の構造の一例を示す図である。
【図１２】（ａ）および（ｂ）は、調整具の構造の一例を示す図である。
【図１３】（ａ）および（ｂ）は、体表温測定具の構造の一例を示す図である。
【図１４】測定温度算出装置の要部構成の一例を示す図である。
【発明を実施するための形態】
【００１１】
以下では、実施形態に係る体表温測定具として犬を対象とした例について説明する。体表温測定の対象となる動物は、特に犬に限らず、例えば、猫、ウサギ、フェレット、猿、ハムスター等の愛玩動物や、馬、牛、豚、ヒツジ、ヤギ等の家畜や、トラ、ライオン等、動物園で飼育されている動物としてもよい。
【００１２】
〔実施形態１〕
以下、実施の形態について、図１〜７を参照して詳細に説明する。
【００１３】
はじめに、体表温測定具１の構造について、図１を用いて説明する。図１は、体表温測定具１の構造の一例を示す図である。図１の（ａ）は、体表温測定具１の外観図である。図１の（ａ）に示すように、体表温測定具１は、温度センシング部２、測定温度算出装置３、装着ベルト（ベルト）４を備えている。
【００１４】
温度センシング部２は、動物の体表温を検出するものである。図１の（ｂ）は、温度センシング部２の構造を示す図である。図１の（ｂ）に示すように、温度センシング部２は、基板２１、赤外線検出センサ２２およびカバー２３を備えている。基板２１には、赤外線検出センサ２２が配置されている。赤外線検出センサ２２は、赤外線を検出できるセンサであればよく、例えば、サーモパイルを用いることができる。図１の（ｂ）に示すように、カバー２３は、赤外線検出センサ２２を覆うように配置されている。動物の体表温測定時において、カバー２３は、動物の体表面上に密着するように押し当てられる。カバー２３における動物の体表に接する接触面の少なくとも一部は、動物の体表側に膨らんでいる凸面になるように形成されている。該凸面は、ダイヤモンドの表面のカットのような複数の多角形面の組み合わせによって構成されていてもよいし、角のない滑らかな曲面で構成されていてもよい（この凸面のことを本稿では単に「曲面」と記す）。詳細には、カバー２３の曲面は、（ｉ）動物の体表とカバー２３とにおける任意の接触点と、（ｉｉ）赤外線検出センサ２２の中心と、の距離がほぼ一定（例えば、２ｍｍ）になるように形成されている。例えば、当該曲面は球面（例えば直径１ｃｍ程度の球）の一部の形状である。カバー２３は、赤外線を吸収しにくい特性を持つ、例えばポリエチレンのような材質で作製されていることが好ましい。また、カバー２３は、集光レンズを備えている構成としてもよい。カバー２３における動物の体表に接する接触面は、カバー２３内に収納された集光レンズの受光面を兼ねていてもよい。上記集光レンズは、特に限定されないが、例えば、フレネルレンズとしてもよい。
【００１５】
測定温度算出装置３は、温度センシング部２が検出した検出値から測定温度を算出する。測定温度算出装置３は、測定温度、動作状態等を表示するための表示部を備えていてもよい。また、測定温度算出装置３は、センサの動作の開始の操作、センサの動作の終了の操作、再起動の操作等を受け付けるための操作入力部を備えていてもよい。例えば、測定温度算出装置３は、ユーザが操作入力部のボタンを押下することによって上記操作の入力を行うように構成されてもよい。また、測定温度算出装置３は、測定温度を算出するためのマイクロコンピュータや専用回路等を備えることによって構成できる。
【００１６】
図２は、測定温度算出装置３の構成の例を示す図である。図２に示すように、測定温度算出装置３は、制御部３１および表示部３２を備えている。制御部３１は、温度算出部３１２を備えている。温度算出部３１２は、温度センシング部２が検出した検出値から測定温度を算出する。温度算出部３１２は算出した測定温度を表示部３２に送信する。表示部３２は測定温度、測定温度算出装置３の動作状態等を表示する。
【００１７】
測定温度算出装置３、および後述の測定温度算出装置３ａの制御ブロック（特に検出値選択部３１１および温度算出部３１２、３１２ａ）は、集積回路（ＩＣチップ）等に形成された論理回路（ハードウェア）によって実現してもよいし、ＣＰＵ（Central Processing Unit）を用いてソフトウェアによって実現してもよい。
【００１８】
後者の場合、測定温度算出装置３、３ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本開示の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本開示は、上記プログラムが電子的な伝送によって具現化された、搬送波に埋め込まれたデータ信号の形態でも実現され得る。また、さらに算出結果を記録する記録部を設けてもよい。
【００１９】
また、測定温度算出装置３、３ａにさらに通信用回路（有線或いは無線による通信）を備えることにより、他の通信機器１６（外部の通信機器、図３参照）に測定（算出）結果を送信することが可能となる。この場合、受信した測定結果を用いてさらに他の測定値との比較を行うことや、測定結果を蓄積すること、測定結果を飼い主などのユーザに通知することも可能となる。当該他の通信機器とは、例えば、スマートフォン、携帯電話、タブレット端末、コンピュータ（ＰＣなど）、スマートウオッチなどが挙げられる。
【００２０】
ここで、測定温度算出装置３のハードウェアの構成の一例を、図３を用いて説明する。図３は、測定温度算出装置３のハードウェアの構成の一例を示す図である。測定温度算出装置３は、ＣＰＵ３０００、ＲＡＭ１２、ＲＯＭ１３を備えている。これらＣＰＵ３０００、ＲＯＭ１３、ＲＡＭ１２を結ぶＢＵＳ（バス）には入出力インターフェース１４が接続されている。入出力インターフェース１４は、ＣＰＵ３０００の制御に基づいて測定温度算出装置３に接続される各種の入出力機器（例えば、温度センシング部２、外部の通信機器１６等）とデータの送受信処理を行うためのインターフェースとなるものである。なお、図３に示す入出力インターフェース１４と通信機器１６とを繋ぐ破線は、有線或いは無線による通信を示している。
【００２１】
再び図１を参照して説明する。装着ベルト４は、温度センシング部２を動物の体表面に密着するように押し当てる。また、装着ベルト４は体表温測定具１を動物に装着するためのベルトである。詳細に説明すると、装着ベルト４は、動物の胴あるいは首の周囲に張力をかけることにより、体表温測定具１を動物の体に密着させる（図５を参照）。装着ベルト４は、両端にバックル（留め具）を備えている構成であってもよい。装着ベルト４は、基板２１の赤外線検出センサ２２が配置している面の裏側の面にて基板２１と接着している。あるいは、装着ベルト４は、基板２１に装着ベルト４を固定する部材を備えている。装着ベルト４は、温度センシング部２の赤外線検出センサ２２が配置している面を動物の体表面に対向させて密着するように押し当てる。
【００２２】
測定温度算出装置３は、例えば装着ベルト４と結合する構成としてもよい。例えば、装着ベルト４を動物に装着することによって、測定温度算出装置３を動物に背負わせる形としてもよい。また、測定温度算出装置３をリュックなどの形状の入れ物に入れて動物に背負わせてもよい。また、測定温度算出装置３を巾着や小物ケースのような形状の入れ物に入れて首輪からぶら下げてもよい。また、測定温度算出装置３が十分に小さければ、首輪或いは胴輪にクリップなどの固定治具を用いて止めてもよい。また、動物に装着する首輪や胴輪の一部あるいは全部を筒状に構成し、当該筒の中に測定温度算出装置３を挿入しておく構成としてもよい。
【００２３】
体表温測定具１の装着例を図４および図５を参照して説明する。図４は、温度センシング部２の配置の一例を示す図である。ここでは測定対象となる動物に対して温度センシング部２の配置の一例を示す。図４に示す一例では、領域Ｒは、犬ｄにおける温度センシング部２の配置に好ましい領域としている。領域Ｒは犬ｄの背面の首より下側の領域であり、以下の特徴を備えている。
【００２４】
犬ｄの前脚および後脚が届かない或いは届きにくい。犬ｄが真上を向いて仰向けに寝る場合を除いて、温度センシング部２が動物と地面（あるいは床面など）との間に挟まれることはない。犬ｄの散歩中等に、泥はね等による汚れが少ない。なお、温度センシング部２の配置に好ましい領域は、温度センシング部２に干渉する可能性の低い領域、換言すれば、歩行や姿勢変更などによる骨の動きの影響が少ない領域、より具体的には背骨周辺および肩甲骨周辺を避けた平面に近い部位である。
【００２５】
続いて、体表温測定具１の装着例を、図５を参照して説明する。図５は体表温測定具１を犬ｄに装着させた状態を示す図である。図５に示す例は体表温測定具１を胴輪とする構成である。装着ベルト４は動物の胴の周囲に張力をかけることにより、温度センシング部２を動物の体表面に密着させる。他の装着例として、体表温測定具１を首輪とする構成を挙げることができる。この構成においては、装着ベルト４が対象動物の首回りに張力をかけることにより、温度センシング部２を動物の体に密着させる。
【００２６】
次に、犬ｄに体表温測定具１を装着した時の温度センシング部２の状態について図６を参照して説明する。図６の（ａ）は、体表温測定具１を適切に犬ｄに装着した状態を示す図である。図６の（ｂ）は、温度センシング部２が傾いた状態で体表温測定具１を犬ｄに装着した状態を示す図である。図６の（ａ）および（ｂ）に示すように、装着ベルト４の張力によって、温度センシング部２のカバー２３は、犬ｄの体表面上に押し付けて固定されている。
【００２７】
図６の（ａ）に示すように、温度センシング部２が適切である状態では、（ｉ）カバー２３と犬ｄの体表面との接触面と、（ｉｉ）基板２１と、が平行になっている。一方で、図６の（ｂ）に示すように、温度センシング部２が傾いた状態では、（ｉ）カバー２３と犬ｄの体表面との接触面と、（ｉｉ）基板２１と、が平行になっていない。図６の（ｂ）に示す状態は一時的に基板２１の両端の装着ベルト４にかかる張力が偏った場合に発生する状態であるが、多くの場合はすぐに元（図６（ａ））の状態に戻る。図６（ｂ）に示す状態が維持される場合は以下のような場合がある。例えば、装着ベルト４の片側を下にして両端の装着ベルト４にかかる張力が偏った状態で犬ｄが寝転ぶ場合、犬ｄが部屋の片隅などで壁にもたれており、皮膚および肉が寄って温度センシング部２、カバー２３および基板２１を傾けてしまう場合などである。
【００２８】
例えば、装着ベルト４を基板２１の対向するそれぞれの縁に連結している構成としてもよい。上記構成によれば、一時的に温度センシング部２が傾いたとしても、装着ベルト４の張力によって、温度センシング部２の傾きを補正し、温度センシング部２を自動で適切な状態に戻すことができる。また、温度センシング部２の傾きが自動で適切な状態に戻らない場合においても、ユーザが装着ベルト４の張力のかかり具合を微修正するだけで、温度センシング部２の傾きを適切な位置（向き）に補正することができる。また前述のとおり、入れ物に測定温度算出装置３を入れ、体表面に対向させるように温度センシング部２を当該入れ物に連結させ、装着ベルト４を当該入れ物の両端に連結させるようにしてもよい。つまり、装着ベルト４によって発生する張力が直接的あるいは間接的に温度センシング部２に作用することで、温度センシング部２が動物の体表面に対向し、かつ動物の体に密着するようになればよい。
【００２９】
次に、カバー２３の効果について、図７を参照して説明する。図７の（ａ）は、直腸温の測定値と体表温の測定値とを関連付けてプロットした分布図である。図７の（ａ）に示す、黒丸（●）印は、カバー２３を備えている温度センシング部２を用いて測定した体表温の測定値（カバー有）と、直腸温の測定値とを関連付けたプロットである。図７の（ａ）に示す、バツ（×）印は、カバー２３を備えていない温度センシング部を用いて測定した体表温の測定値（カバー無）と、直腸温の測定値とを関連付けたプロットである。なお、体表温の測定に用いたカバー２３は動物の体表に接する接触面は、曲面に形成されている。
【００３０】
図７の（ａ）に示すグラフの縦軸は体表温の測定値を示しており、図７の（ａ）に示すグラフの横軸は、直腸温の測定値を示している。図７の（ａ）が示すように、カバー有の測定値は、カバー無の測定値に比べてばらつきが少ない。
【００３１】
また、図７の（ｂ）は、体表温の測定値（カバー有またはカバー無）と直腸温の測定値との差の平均値を示している。図７の（ｂ）に示すように、体表温の測定値（カバー有）と直腸温の測定値との差の平均値は0.352026であり、体表温の測定値（カバー無）と直腸温の測定値との差の平均値は、0.362229であった。また、図７の（ｃ）は、体表温の測定値（カバー有またはカバー無）と直腸温の測定値との差の標準偏差を示している。体表温の測定値（カバー有）と直腸温の測定値との差の標準偏差は0.22544であり、体表温の測定値（カバー無）と直腸温の測定値との差の標準偏差は0.322343であった。すなわち、体表温の測定値（カバー無）に比べて、体表温の測定値（カバー有）においては直腸温の測定値との差が小さく、かつ、測定値のばらつきを抑えられているという結果を得た。この結果は、前述のとおり、カバー２３における動物の体表に接する接触面を曲面で構成し、赤外線検出センサ２２の受光部と動物の体表との距離をほぼ一定に保つことによって得られている。すなわち、カバー２３の体表との接触面を平面とするよりも、カバー２３の体表との接触面を曲面とする方が、赤外線検出センサ２２の受光部と動物の体表との距離を揃え易くすることができる。
【００３２】
なお、カバー２３の曲面が集光レンズ（例えばフレネルレンズ）を兼ねている構成とし、赤外線検出センサ２２の受光部と動物の体表との距離をほぼ一定に保ちつつ、さらに効率よく赤外線検出センサ２２に集光させるようにしてもよい。上記フレネルレンズは、例えば、カバー２３の曲面の内側または外側に集光のための溝が形成されていることによって形成されていてもよい。
【００３３】
上記の構成によれば、当該カバーの接触面は動物の体表面上に押し付けられる。そのため、上記体表温測定具はウェアラブルに動物に装着されることができ、上記体表温測定具は常時体表温測定可能な状態を保つことができる。よって、上記体表温測定具を装着した動物が安静状態である時に、体表温測定を行うことができる。したがって、動物の安静時の体表温を検出することができる。また、上記の構成によれば、カバーにおける動物の体表に接する接触面は、上記動物の体表側に膨らんでいる曲面に形成されている。そのため、赤外線検出センサの中心と測定対象（体表面）との距離を同じにし易くすることができる。赤外線検出センサと測定対象（鼓膜、皮膚など）との距離を一定にするためのハウジング機構を設けているような構成に比べ、体毛が多い動物の体表温をより正確に測定することができる。また、該カバーにより、赤外線検出センサの汚れを低減することができる。
【００３４】
また、上記体表温測定具によれば、動物の体表温は赤外線検出センサを用いて検知される。そのため、安静状態を維持することが難しい動物においても、外部環境の変化に敏感に反応するサーミスタを用いて体表温を検知する構成に比べ、体表温を安定に検知することができる。よって、上記体表温測定具により、動物の体表温測定において適切な体表温測定を行うことができる。
【００３５】
さらに、上記カバーの接触面が集光レンズの集光面を兼ねている構成では、赤外線検出センサと動物の体表面との角度が変化した場合においても、集光レンズが赤外線を赤外線検出センサに集光するため、該変化による体表温検知の影響を少なくすることができる。
【００３６】
なお、赤外線検出センサにおいて、温度測定のためにサーミスタを併用することが多いことは周知の事実であるため、ここでは詳細に説明しない。
【００３７】
〔実施形態２〕
他の実施形態について、図８に基づいて説明すれば、以下のとおりである。なお、説明の便宜上、前記実施形態にて説明した部材と同じ機能を有する部材については、同じ符号を付記し、その説明を省略する。
【００３８】
本実施形態に係る温度センシング部２ａは補助台座２４を備えている。
【００３９】
図８を参照して、温度センシング部２ａの構造を説明する。図８の（ａ）は、温度センシング部２ａの構造を示す図である。また、図８の（ｂ）は体表温測定具１が適切に犬ｄに装着されている状態を示す図である。図８の（ａ）および（ｂ）に示すように、補助台座２４はカバー２３の少なくとも一部を覆う。温度センシング部２ａが動物の体表面に対して傾いた場合に、補助台座２４が上記体表面に接触し、上記温度センシング部２ａの傾きを抑制する。詳細には、補助台座２４には孔が設けられている。当該孔はカバー２３が嵌るように形成されている。補助台座２４に設けられた孔にカバー２３が挿通されて嵌っている状態において、カバー２３の赤外線透過面（集光面）は当該孔から露出している。そのため、装着ベルト４は、カバー２３を動物の体表面上に、押し付ける。また、補助台座２４は、弾性部材で構成されていてもよい。
【００４０】
補助台座２４の効果について、図８の（ｃ）から（ｅ）を参照して説明する。図８の（ｃ）は、温度センシング部２ａが傾いた状態で、犬ｄに体表温測定具１が装着されている状態を示す図である。
【００４１】
図８の（ｃ）に示すように、温度センシング部２ａでは、装着ベルト４のどちらか一方が引かれることによって生じる温度センシング部２ａの傾きを抑制することができる。さらに、補助台座２４が弾性部材で構成されている場合、温度センシング部２ａの傾きを補助台座２４が吸収する。
【００４２】
図８の（ｄ）は、実施形態１にて説明した温度センシング部２が傾いた状態で犬ｄに体表温測定具１が装着されている状態を示す図である。温度センシング部２の傾きは図８の（ｃ）に示す温度センシング部２ａの傾きよりも大きい。さらに装着ベルト４の一方に力がかかることにより、動物の体表面に対してカバー２３の集光面が接触できなくなる可能性もある。また、カバー２３の角や基板２１の端が動物の体表に可能性もある。図８の（ｅ）は、図８の（ｃ）に示す状態よりも温度センシング部２ａが傾いた状態で犬ｄに体表温測定具１が装着されている状態を示す図である。図８の（ｅ）に示すように、温度センシング部２および温度センシング部２ａが大きく傾いたとしても、弾性部材で構成されている補助台座２４を備えている温度センシング部２ａにおいては、補助台座２４がクッションの効果を奏する。そのため、基板２１およびカバー２３が動物の体表に食い込むことを低減する。
【００４３】
また、補助台座２４の材質を、動物の体表面の体毛との摩擦が大きいものとしてもよい。上記の構成によれば、温度センシング部２ａと動物の体表面とのズレを抑制することが可能となる。また、補助台座２４の材質を、動物の体表面の体毛との摩擦が小さいものとしてもよい。上記の構成によれば、温度センシング部２ａの位置がズレた場合においても、温度センシング部２ａが動物の体表面の毛を引っ張ることが少なくなる。そのため、体表温測定具１を装着した動物は快適な装着感を得ることができる。
【００４４】
補助台座２４を構成する素材および部材としては、ゴム、ウレタン、シリコン、発泡ビーズあるいは中綿を詰めクッション状に構成した布地（綿および絹などの天然繊維、ナイロン、ポリエステルおよびレーヨンなどの化学繊維など）などを挙げることができる。なお、金属、木材など弾性体でない素材を用いる場合は、動物の体表面に角が当たることにより動物が痛みを感じないように、補助台座２４の面取りをしておくことが好ましい。
【００４５】
上記の構成によれば、温度センシング部に補助台座を設けることによって、体表面に対する温度センシング部の傾きを抑制することができる。また上記の構成によれば、温度センシング部の動物の体表への食い込みを低減できる。
【００４６】
また、本実施形態の体表温測定具は、上記補助台座が、弾性部材によって構成されていてもよい。上記の構成によれば、センサの傾きを補助台座で吸収しやすくなる。
【００４７】
〔実施形態３〕
本開示の他の実施形態について、図９および１０に基づいて説明すれば、以下のとおりである。なお、説明の便宜上、前記実施形態にて説明した部材と同じ機能を有する部材については、同じ符号を付記し、その説明を省略する。本実施形態に係る体表温測定具１ｂおよび体表温測定具１ｃは動物の体表面における装着ベルト４の位置を固定する補助ベルト５または補助ベルト５ａを備えている。
【００４８】
装着ベルト４が胴輪の形状である体表温測定具１ｂの構造を、図９および図１０を参照して、説明する。図９の（ａ）は体表温測定具１ｂの構造を示す図である。図９の（ａ）に示すように、装着ベルト４は、補助ベルト５およびバックル５０を備えている。
【００４９】
また、図１０の（ａ）は体表温測定具１ｂの装着の位置を示す図であり、図１０の（ｂ）は、体表温測定具１ｂを犬ｄに装着させた状態を示す図である。図１０の（ａ）および（ｂ）に示すように、体表温測定具１ｂを犬ｄに装着させた場合、装着ベルト４は、犬ｄの左右の前足よりも尾寄りの胴回りに当接し、さらに、犬ｄの首の腹側を横切って当接する補助ベルト５を備えている。詳細に説明すると、図１０の（ａ）に示すように、装着ベルト４は、犬ｄの肩甲骨Ｋよりも尾寄りの胴回りに張力をかけることにより体表温測定具１ｂを犬ｄの体に密着させる。さらに、体表温測定具１ｂの装着状態においては、装着ベルト４に連結している補助ベルト５は、犬ｄの背側から首の腹側を横切って当接する。また、補助ベルト５は先端に留め具を備えており、バックル５０と連結する。
【００５０】
上記の構成によれば、補助ベルト５は、胴輪の形状である装着ベルト４の回転を抑制する。そのため、補助ベルト５は、温度センシング部２が犬ｄの脚の届く領域に移動すること、または、温度センシング部２が何かに埋もれやすくなってしまう領域に移動することを抑制する。また、補助ベルト５によれば、犬ｄのより胴の細い方（後脚方向）へ胴輪の形状である装着ベルト４が移動してしまうことを防ぐことができる。
【００５１】
次に、装着ベルト４が首輪の形状である体表温測定具１ｃの構造を、図９および図１０を参照して、説明する。図９の（ｂ）は体表温測定具１ｃの構造を示す図である。図９の（ｂ）に示すように、装着ベルト４は、補助ベルト５ａおよびバックル５０を備えている。
【００５２】
また、図１０の（ｃ）から（ｅ）は体表温測定具１ｃの装着の位置を示す図である。図１０の（ｃ）から（ｅ）に示すように、装着ベルト４は、体表温測定具１ｃを犬ｄに装着した場合、犬ｄの首回りに当接する。また、補助ベルト５ａは、体表温測定具１ｃを犬ｄに装着した場合、犬ｄの左右の腋窩に当接する。詳細に説明すると、図１０の（ｃ）から（ｄ）に示すように、装着ベルト４は、犬ｄの首の回りに張力をかけることにより体表温測定具１ｃを犬ｄの体に密着させる。さらに、装着ベルト４から延伸した２本の補助ベルト５ａを、それぞれ前脚の後ろ側から前へ回し、犬ｄの左右の腋窩に当接させる。図１０の（ｅ）に示すように、補助ベルト５ａを、犬ｄの前脚の前側から後ろ側へ回し、犬ｄの左右の腋窩に当接させる構成としてもよい。また、補助ベルト５ａは先端に留め具を備えており、バックル５０と連結する。上記の構成によれば、補助ベルト５ａは、装着ベルト４の回転を抑制する。
【００５３】
本実施形態に係る体表温測定具は、以下のように表現する事もできる。本実施形態に係る体表温測定具は、上記動物の左右の前足よりも尾寄りの胴回りに当接し、さらに、上記動物の首の腹側を横切って当接する補助ベルトを備えていてもよい。上記の構成によれば、体表温の測定位置のずれを抑制できる。すなわち、ユーザが所望する位置にて動物の体表温の測定を行いやすくする。
【００５４】
また、本実施形態に係る体表温測定具は、上記動物の左右の腋窩に当接する補助ベルトを備えていてもよい。上記の構成によれば、体表温の測定位置のずれを抑制できる。すなわち、ユーザが所望する位置による動物の体表温の測定を行いやすくする。
【００５５】
また、前述の補助ベルトは、胴回りに当接するベルトと、腋窩に当接するベルトの両方を備えていてもよい。
【００５６】
また、前述の補助ベルト５ａは、装着ベルト４の補助だけにとどまらず、他のセンサの装具として補助ベルト５ａが機能してもよい。より具体的には、補助ベルト５ａに他のセンサが接続されていてもよい。例えば、補助ベルト５ａに他の温度センサを接続し、温度センシング部２の計測値を補正するために用いてもよい。他の例では、補助ベルト５ａに電極部材を設け、動物の体表に接するようにすることで、その周辺の筋電を検出可能に構成し動物の活動を計測してもよい。さらに他の例では、動物の左右の脇にてそれぞれ検出した電位の電位差を測定することにより心電を検出可能に構成してもよい。
【００５７】
〔実施形態４〕
他の実施形態について、図１１および１２に基づいて説明すれば、以下のとおりである。なお、説明の便宜上、前記実施形態にて説明した部材と同じ機能を有する部材については、同じ符号を付記し、その説明を省略する。
【００５８】
本実施形態では、体表温測定具１ｆおよび１ｇは動物に装着する首輪等に装着可能な構成である。以下においては、動物に装着する首輪１０に体表温測定具１ｆおよび体表温測定具１ｇを装着する例について説明する。なお、体表温測定具１ｆおよび体表温測定具１ｇは首輪１０に限らず、例えば、ハーネス（胴輪）に装着する構成としてもよい。また、本実施形態では体表温測定具１ｆおよび体表温測定具１ｇは温度センシング部２ａを備えている構成について説明するが、体表温測定具１ｆおよび体表温測定具１ｇは温度センシング部２ａの代わりに温度センシング部２を備えている構成としてもよい。
【００５９】
体表温測定具１ｆの構造を、図１１を参照して、説明する。図１１の（ａ）は体表温測定具１ｆの構造を示す図である。図１１の（ａ）に示すように体表温測定具１ｆの装着ベルト４ａは、温度センシング部２ａを首輪１０に固定する装着ベルト４ａを備えている。より詳細に説明すると、装着ベルト４ａの先端には接続用治具６が設けられている。接続用治具６は、例えば、クリップであり、首輪１０に接続するものである。首輪１０の張力によって、カバー２３は犬ｄの体表面上に押し付けて固定される。
【００６０】
接続用治具６ｂを備えている他の体表温測定具１ｇの例について、図１１の（ｂ）を参照して説明する。図１１の（ｂ）は体表温測定具１ｇの構造を示す図である。図１１の（ｂ）に示すように、体表温測定具１ｇは上述の体表温測定具１ｆと同様に接続用治具６を設けている装着ベルト４ａを備えている。さらに、体表温測定具１ｇは、温度センシング部２ａ（体表温測定具１ｇ）を首輪１０に固定する装着ベルト４ｂを備えている。なお、首輪１０の代わりに、胴輪、ハーネス、動物用衣類などを用いてもよい。
【００６１】
装着ベルト４ｂは、基板２１の補助台座２４およびカバー２３等が設置されている面の裏面にて、装着ベルト４ａと直交している。図１１の（ｂ）に示すように、首輪１０に体表温測定具１ｇを装着した状態において、装着ベルト４ｂは首輪１０に周回し体表温測定具１ｇを首輪１０に固定する。さらに、装着ベルト４ｂは、体表温測定具１ｇを首輪１０に固定するための接続用治具６ｂを備えている。接続用治具６と同様に、接続用治具６ｂとして、クリップ等を適用することができる。また、上述の例示においては、接続用治具６はクリップとして説明したが、これに限らず、バックル、スナップボタン、面ファスナーなど、一般的に固定具および接続具として用いられる治具を接続用治具６として用いてもよい。
【００６２】
また、首輪１０が犬ｄに対して比較的に緩めに装着されることを想定し、体表温測定具１ｇおよび１ｆの温度センシング部２ａの厚み（高さ）を変更できる構成としてもよい。例えば、補助台座２４が層構造であり、層の数を変更することによって温度センシング部２ａの高さを調整できる構成としてもよい。この構成においては、補助台座２４の高さの上限をカバー２３の高さとし、補助台座２４の高さの下限をカバー２３の全体の高さからカバー２３の曲面の高さを引いた高さとしてもよい。
【００６３】
また、基板２１における、赤外線検出センサ２２が配置されていない側に、補助台座２４とは異なるセンサの台座（以下、調整具２５と記す）を備えている構成としてもよい。調整具２５について、図１２を用いて説明する。図１２の（ａ）および（ｂ）は、調整具２５の構造の一例を示す図である。図１２の（ａ）に示すように調整具２５は層構造であり、層の数を変更することによって、温度センシング部２ａの高さを調整することができる。
【００６４】
調整具２５を備えている体表温測定具１ｇまたは１ｆの構造において、装着ベルト４と温度センシング部２ａの基板２１とが分離可能に構成されていることが好ましい。例えば、体表温測定具１ｇまたは１ｆは装着ベルト４と基板２１との間に調整具２５が挿入される構成であり、装着ベルト４、調整具２５および基板２１を互いに固定する固定治具（不図示）を備えていてもよい。また、図１２の（ｂ）に示すように、調整具２５の横幅（装着ベルト４の長手方向に対する長さ）は基板２１の横幅よりも広く、調整具２５の奥行（装着ベルト４の短手方向に対する長さ）は装着ベルト４の奥行よりも広いことが好ましいが、この限りではない。
【００６５】
なお、上述の説明においては、図１１および図１２に示すように、温度センシング部２ａを備えている体表温測定具１ｇおよび体表温測定具１ｆについて例示したが、体表温測定具１ｇおよび体表温測定具１ｆは温度センシング部２ａの代わりに温度センシング部２を備えていてもよい。また、温度センシング部２が上述のセンサ台座を備えている構成としてもよい。
【００６６】
本実施形態に係る体表温測定具は、以下のように表現する事もできる。体表温測定具の上記ベルトは、上記首輪または上記胴輪に対する接続用治具を備えていてもよい。上記の構成によれば、ユーザは、所有している首輪あるいは胴輪を利用して、適切な動物の体表温測定を行いやすくなる。
【００６７】
〔実施形態５〕
他の実施形態について、図１３および図１４に基づいて説明すれば、以下のとおりである。なお、説明の便宜上、前記実施形態にて説明した部材と同じ機能を有する部材については、同じ符号を付記し、その説明を省略する。本実施形態では、体表温測定具１ｈおよび１ｉは複数の温度センシング部（温度センシング部２ｂおよび温度センシング部２ｃ）を備えている。
【００６８】
はじめに、本開示の一実施形態に係る体表温測定具１ｈおよび１ｉの構造について、図１３および図１４を用いて説明する。図１３は、体表温測定具１ｈおよび１ｉの構造の一例を示す図である。図１３の（ａ）は、胴輪形状の体表温測定具１ｈの構造の一例を示す図であり、図１３の（ｂ）は、首輪形状の体表温測定具１ｉの構造の一例を示す図である。
【００６９】
図１３の（ａ）および（ｂ）に示すように、体表温測定具１ｈおよび１ｉは、複数の温度センシング部（温度センシング部２ｂおよび温度センシング部２ｃ）、測定温度算出装置３ａ、装着ベルト４および補助ベルト５（または補助ベルト５ａ）を備えている。装着ベルト４、補助ベルト５および補助ベルト５ａについては、上記実施形態において詳細を説明したため、ここでの説明は省略する。温度センシング部２ｂおよび温度センシング部２ｃは、温度センシング部２または温度センシング部２ａと同様の構成である。なお本実施形態においては、温度センシング部を２つ備えている体表温測定具について例を示すが、温度センシング部の数は複数であればよく、特に限定されない。
【００７０】
一方で、図１４は、測定温度算出装置３ａの構成の例を示す図である。図１４に示すように、体表温測定具１ｈおよび体表温測定具１ｉは図１３に示す構成に加えて、状態検出センサ（第２のセンサ）８を備えている。状態検出センサ８は、体表温測定具１ｈおよび１ｉの状態を検出するセンサであり、例えば、圧力センサ、照度センサ、加速度センサ等である。状態検出センサ８は検出値を測定温度算出装置３ａに送信する。なお、状態検出センサ８は、測定温度算出装置３ａと同じ筐体の中に収められていてもよいし、別途筐体を設け、装着ベルト４或いは他に設けたベルト、衣服などによって動物に装着されていてもよい。或いは、状態検出センサ８は、飼い主所有の通信端末（例えば携帯電話やスマートフォンなど）に備えられていてもよいし、動物のいる場所（ケージ、ハウス、部屋など）に備え付けられていてもよい。
【００７１】
図１４に示す測定温度算出装置３ａは、複数の温度センシング部から検出値を受信する構成を示している。一方で、上述の実施形態１から４にて説明した測定温度算出装置３の要部構成の一例として、図１４に示す測定温度算出装置３ａが単数の温度センシング部２または２ａから検出値を受信する構成を挙げることができる。
【００７２】
次に、測定温度算出装置３ａについて説明する。測定温度算出装置３ａは、制御部３１ａおよび表示部３２を備えている。制御部３１ａは、検出値選択部３１１および温度算出部３１２ａを備えている。
【００７３】
検出値選択部３１１は、複数の温度センシング部の検出値または状態検出センサ８の検出値に応じて、複数の温度センシング部の検出値から測定温度を算出するために用いる検出値を選択する。
【００７４】
詳細に説明すると、検出値選択部３１１は温度センシング部２ｂおよび温度センシング部２ｃが検出した検出値を受信する。また、検出値選択部３１１は、各温度センシング部の所定の時間あたりの変化が所定値以内であった場合、該温度センシング部の検出値を測定温度の算出に用いる検出値として選択し、温度算出部３１２ａに送信する。換言すると、検出値選択部３１１は極端に変化のあった温度センシング部の検出値を、測定温度を算出する検出値として選択しない。なお、上述の構成においては、状態検出センサ８は必須構成ではない。
【００７５】
また、検出値選択部３１１は、状態検出センサ８の検出値に応じて、測定温度の算出に用いる温度センシング部の検出値を選択する。例えば、状態検出センサ８が圧力センサである構成においては、検出値選択部３１１は、圧力がかかっていない側の温度センシング部の検出値を選択する。詳細には、検出値選択部３１１は、状態検出センサ８の検出値から、犬ｄに何かが覆いかぶさっている側、或いは犬ｄに何かが押し当たっている側ではない温度センシング部がどちら（どれ）であるかを判断する。そして、検出値選択部３１１は、何も覆いかぶさっていない側或いは何も押し当たっていない側の温度センシング部の検出値を測定温度の算出に用いる検出値として選択する。また、状態検出センサ８が照度センサである構成においては、検出値選択部３１１は照度センサの検出値から温度センシング部に何かが覆いかぶさっていないかどうかを判断する。そして、検出値選択部３１１は、何も覆いかぶさっていない温度センシング部の検出値を測定温度の算出に用いる検出値として選択する。或いは、検出値選択部３１１は、所定の閾値を超える照度の検出値から直射日光に晒されている側を判断する。そして、検出値選択部３１１は直射日光に晒されていない側の温度センシング部の検出値を検出温度の算出に用いる検出値として選択する。また、状態検出センサ８が加速度センサである構成においては、検出値選択部３１１は加速度センサの検出値から犬ｄの向きを特定する。そして、犬ｄの下側（犬自体がセンサにかぶさっている可能性がある）に位置していない温度センシング部の検出値を測定温度の算出に用いる検出値として選択する。
【００７６】
温度算出部３１２ａは、複数の温度センシング部が検出した少なくとも１つの検出値から測定温度を算出する。詳細には、測定温度算出装置３ａは複数の温度センシング部（温度センシング部２ｂおよび温度センシング部２ｃ）の検出値の少なくとも１つから測定温度を算出する。例えば、測定温度算出装置３ａは複数の温度センシング部から受信した検出値から温度を算出し、これらの算出した温度の平均値を測定温度とする。温度算出部３１２ａは算出した測定温度を表示部３２に送信する。表示部３２は測定温度、測定温度算出装置３ａの動作状態等を表示する。
【００７７】
なお、上述の本実施形態の説明では、補助ベルト５および補助ベルト５ａを備えている体表温測定具について説明したが、実施形態１にて説明したような、補助ベルト５および補助ベルト５ａを備えていない体表温測定具に本実施形態の構成を適用してもよい。
【００７８】
温度センシング部２ｂおよび２ｃが正しい検出値を得るために、温度センシング部２ｂおよび２ｃの配置位置は外部からの干渉がない位置であることが好ましい。外部からの干渉とは、温度センシング部２ｂおよび２ｃに対する物理的な圧力、例えば、動物が姿勢を変化させたことによって、地面、床面、壁面、布団類などの何かと接触することによって生じる圧力、動物そのものの骨格の動きから受ける物理的な圧力等である。例えば、犬においては真上を向くほどの仰向けとなることが少ない。そのため、背骨の真上に温度センシング部２ｂおよび２ｃを配置することによって、外部からの干渉を低減することができる。一方で、背骨の真上に温度センシング部２ｂおよび２ｃを配置した場合、温度センシング部２ｂおよび２ｃと背骨とが干渉してしまう。したがって、中型以上の大きさの犬であれば、温度センシング部２ｂおよび２ｃの配置位置を、背骨の外側（左側か右側）であり、かつ、肩甲骨よりも内側の領域とすることが好ましい。当該領域においては、犬の前脚および後脚は届かずかつ外部からの干渉も少ない。
【００７９】
また、小型犬の場合は、背骨と肩甲骨と間の領域に十分な広さがない。そのため、当該領域に温度センシング部２ｂおよび２ｃを配置すると、背骨または肩甲骨と温度センシング部２ｂおよび２ｃとがぶつかり合い、犬にとってストレスとなる。したがって、小型犬の場合は肩甲骨の外側に温度センシング部２ｂおよび２ｃを配置する必要がある場合がある。
【００８０】
本実施形態にて説明した体表温測定具１ｈおよび１ｉの構成によれば、検出値選択部３１１は、複数の温度センシング部の検出値または状態検出センサ８の検出値に応じて、複数の温度センシング部の検出値から測定温度を算出するために用いる検出値を選択する。そのため、検出値選択部３１１は、複数の温度センシング部の検出値または状態検出センサ８の検出値から、干渉を受けていないと判断された温度センシング部の検出値を用いて、測定温度を算出することができる。したがって、体表温測定具１ｈおよび１ｉの構成は、外部からの干渉を受ける可能性が高い位置に温度センシング部２ｂおよび２ｃに配置する場合に、特に、有効となる。
【００８１】
本実施形態に係る体表温測定具は、以下のように表現する事もできる。体表温測定具は、温度センシング部を含む複数の温度センシング部と、複数の温度センシング部が検出した少なくとも１つの検出値から測定温度を算出する測定温度算出装置とを備えており、上記測定温度算出装置は複数の温度センシング部の検出値から測定温度を算出する。そのため、精度の高い体表温測定が行いやすくなる。
【００８２】
また、体表温測定具は、温度センシング部を含む複数の温度センシング部と、複数の温度センシング部が検出した少なくとも１つの検出値から測定温度を算出する測定温度算出装置と、動物の状態を検出する第２のセンサとを備えており、測定温度算出装置は、複数の上記温度センシング部の検出値または上記第２のセンサの検出値に応じて、複数の上記温度センシング部の検出値から測定温度を算出するために用いる検出値を選択する検出値選択部を備えていてもよい。
【００８３】
上記の構成によれば、複数の上記温度センシング部の検出値に応じて、複数の上記温度センシング部の検出値から測定温度を算出するために用いる検出値が選択される。例えば、各温度センシング部の検出値の推移を考慮し、極端な変化があった温度センシング部の検出値については測定温度の算出に用いない構成としてもよい。そのため、動物の状態に応じた体表温測定が行いやすくなる。
【００８４】
また、上記の構成によれば、複数の上記温度センシング部の検出値または上記第２のセンサの検出値に応じて、複数の上記温度センシング部の検出値から測定温度を算出するために用いる検出値が選択される。例えば、第２のセンサを圧力センサとした場合、上記動物の圧力のかかっていない側に配置されている温度センサの検出値を測定温度の算出に用いる構成としてもよい。また、第２のセンサを照度センサとした場合、照度センサの検出値から温度センサに何か（例えば、布など）が覆いかぶさっていないかどうかを判断し、何も覆いかぶさっていない温度センサの検出値を測定温度の算出に用いる構成としてもよい。また、第２のセンサを加速度センサとした場合、動物の体勢を判断し、動物が覆いかぶさっていない（動物の下敷きとなっていない）温度センサの検出値から測定温度を算出する構成としてもよい。そのため、動物の状態に応じた体表温測定が行いやすくなる。
【００８５】
また、本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【００８６】
本国際出願は、２０１６年１２月５日に日本国特許庁に出願された日本国特許出願第２０１６−２３５７０３号に基づくものであり、日本国特許出願第２０１６−２３５７０３号の全内容を参照により本国際出願に援用する。
【符号の説明】
【００８７】
１、１ｂ、１ｃ、１ｆ〜ｉ    体表温測定具
２、２ａ〜ｃ    温度センシング部
２２            赤外線検出センサ
２３            カバー
２４            補助台座
３、３ａ        測定温度算出装置
３１１          検出値選択部
４、４ａ、４ｂ  装着ベルト（ベルト）
５、５ａ        補助ベルト
６、６ｂ        接続用治具
【図１】
0006727331.tif 000002
【図２】
0006727331.tif 000003
【図３】
0006727331.tif 000004
【図４】
0006727331.tif 000005
【図５】
0006727331.tif 000006
【図６】
0006727331.tif 000007
【図７】
0006727331.tif 000008
【図８】
0006727331.tif 000009
【図９】
0006727331.tif 000010
【図１０】
0006727331.tif 000011
【図１１】
0006727331.tif 000012
【図１２】
0006727331.tif 000013
【図１３】
0006727331.tif 000014
【図１４】
0006727331.tif 000015